(57)【要約】【課題】光学特性の低下を招くことなく光透過率可変素子の温度分布情報を取得し、光透過率可変素子が吸収する熱を制御する撮像装置を提供する。【解決手段】この撮像装置は、光透過率が制御可能な可変素子１０１と、入射光の光強度を取得する撮像素子１０３と、可変素子１０１の温度を検知する検知手段１０９と、可変素子１０１の透過率と、撮像素子１０３において取得された光強度と、検知手段１０９で検知した温度とを用いて、可変素子１０１の温度を算出する算出手段と、算出手段で算出した可変素子１０１の温度が所定の温度を超えた場合、可変素子１０１に到達する光量または可変素子１０１が吸収する光量を低減するように制御する制御手段１１４とを備える。【選択図】図６
2019139117.tif 000002
【特許請求の範囲】
【請求項１】
光透過率が制御可能な可変素子と、
入射光の光強度を取得する撮像素子と、
前記可変素子の温度を検知する検知手段と、
前記可変素子の透過率と、前記撮像素子において取得された前記光強度と、前記検知手段で検知した温度とを用いて、前記可変素子の温度を算出する算出手段と、
前記算出手段で算出した前記可変素子の温度が所定の温度を超えた場合、前記可変素子に到達する光量または前記可変素子が吸収する光量を低減するように制御する制御手段と
を備える
ことを特徴とする撮像装置。
【請求項２】
前記制御手段は、前記可変素子の光路上の被写体側に設けられた撮影光学系で光量を制限することで前記可変素子に到達する光量を低減する
ことを特徴とする請求項１に記載の撮像装置。
【請求項３】
前記制御手段は、前記可変素子の透過率を上昇させることで前記可変素子が吸収する光量を低減する
ことを特徴とする請求項１に記載の撮像装置。
【請求項４】
前記算出手段は、前記可変素子の光路上の被写体側に設けられた撮影光学系の透過率と、前記可変素子の光路上の像面側に設けられた赤外光透過フィルタの透過率と、前記可変素子の熱容量と、入射光のスペクトルとの少なくともいずれか１つの情報をさらに用いて、前記可変素子の温度を算出する
ことを特徴とする請求項１〜３のいずれか１項に記載の撮像装置。
【請求項５】
前記可変素子は、エレクトロクロミック素子である
ことを特徴とする請求項１〜４のいずれか１項に記載の撮像装置。
【請求項６】
光透過率が制御可能な可変素子と、入射光の光強度を取得する撮像素子とを備える撮像装置の制御方法であって、
前記可変素子の温度を検知する検知工程と
前記可変素子の透過率と、前記撮像素子において取得された前記光強度と、前記検知工程で検知した温度とを用いて、前記可変素子の温度を算出する算出工程と、
前記算出工程で算出した前記可変素子の温度が所定の温度を超えた場合、前記可変素子に到達する光量または前記可変素子が吸収する光量を低減するように制御する制御工程と
を有する
ことを特徴とする撮像装置の制御方法。
【発明の詳細な説明】
【技術分野】
【０００１】
本発明は、撮像装置および撮像装置の制御方法に関する。
【背景技術】
【０００２】
撮像機器中の撮像素子に入射する光を低減するＮＤフィルタ等の光透過率低減素子の透過率を電気的に制御可能とした光透過率可変素子は、露出調整の自由度を広げ、透過率が固定された素子では不可能であった像表現を可能とする。この光透過率可変素子の効果を大きく発揮させるためには、その素子の透過率の変化幅を拡大することが重要である。この透過率の変化幅の広い光透過率可変素子は、強い入射光に対してその透過率を低くして減光を行うことで、撮像素子の信号が飽和することを防止し、階調を保持した像の取得を可能とする。一方、この光透過率可変素子は、入射光の吸収により減光を行うため、吸収された光は熱となり光透過率可変素子の温度を上昇させることになる。特に、撮像素子近傍に光透過率可変素子が配設された場合には、素子に集光された光が照射される可能性がある。そのような光学系で集光された光が低い透過率（＝光を吸収する率が高い）の素子に照射された場合には、照射部位において素子の吸収熱量が大きくなるために、光透過率可変素子の部分的な温度上昇を招くことがある。
【０００３】
この光透過率可変素子としては、液晶素子、有機エレクトロクロミック素子といった、有機分子を用いた素子の開発が進められている。これらの素子は、機械的な動作部を必要とせず、光透過率を連続的、電気的に制御可能であるという特徴を持つ。一方で、有機分子の運動が関与する素子であるために、温度変化、特に高温における動作に課題がある。先に述べたように光透過率可変素子は、局所的な集光で部分的に高温になる可能性があるため、光透過率可変素子の温度の分布情報を取得し、その情報に基づき、光透過率可変素子が吸収する熱を低減することが求められる。光透過率可変素子の温度分布情報を取得する方法としては、例えば複数の温度検知素子を光透過率可変素子に配置する方法が挙げられる。しかし情報として重要な光透過率可変素子の光線透過領域に温度検知素子を配置すると、光透過率の低下や、影の映りこみといった光学特性の低下を招くために好ましくない。このために光学特性の低下を招くことなく光透過率可変素子の光線透過領域の温度分布情報を取得する手法が求められている。
【０００４】
特許文献１では、電気化学表示装置において、温度検知用の電圧を電気化学表示素子の表示を行う電極に印加して流れる電流値から温度を演算し、それに基づいて表示装置を駆動するパルス電圧を決定、印加する方法が開示されている。これにより、温度検知素子を配置することなく、電気化学表示素子の面内温度分布情報を取得することを可能としている。
【先行技術文献】
【特許文献】
【０００５】
【特許文献１】特開２００６−３０６１６号公報
【発明の概要】
【発明が解決しようとする課題】
【０００６】
特許文献１の方法は、温度検知素子を配置することなく、電気化学表示素子の温度分布情報を取得することを可能としている。一方で、特許文献１の方法は、温度検知用の電圧を印加して流れる電流値から温度を検知する手法のため、光透過率可変素子に適用して温度分布情報を取得する際には、光透過率可変素子駆動用の電圧を停止して、温度検知用の電圧を印加する必要がある。そのため光透過率可変素子の透過率制御と、面内温度分布情報の取得を独立して行うことができない。また、光透過率可変素子の温度分布情報を取得ためには、それぞれの位置において、電極が独立に動作できる仕組みが必要になる（具体的には、電極をマトリクス状に交差配置する方法が挙げられている）。この仕組みは、電極による回折、導電率の低下などによる光学特性への影響がある。
【０００７】
本発明は、上記課題を鑑みて、光学特性の低下を招くことなく光透過率可変素子の温度分布情報を取得し、光透過率可変素子が吸収する熱を制御する撮像装置を提供することを目的とする。
【課題を解決するための手段】
【０００８】
上記の課題を解決するために、本発明の撮像装置は、光透過率が制御可能な可変素子と、入射光の光強度を取得する撮像素子と、前記可変素子の温度を検知する検知手段と、前記可変素子の透過率と、前記撮像素子において取得された前記光強度と、前記検知手段で検知した温度とを用いて、前記可変素子の温度を算出する算出手段と、前記算出手段で算出した前記可変素子の温度が所定の温度を超えた場合、前記可変素子に到達する光量または前記可変素子が吸収する光量を低減するように制御する制御手段とを備えることを特徴とする。
【発明の効果】
【０００９】
本発明によれば、光学特性の低下を招くことなく光透過率可変素子の温度分布情報を取得し、光透過率可変素子が吸収する熱を制御する撮像装置を提供することができる。これにより、光透過率可変素子の入射光吸収による温度上昇による特性変化を防止することができる。
【図面の簡単な説明】
【００１０】
【図１】撮像機器の概念図である。
【図２】基準太陽光のスペクトルを示す図である。
【図３】光透過率可変素子上の集光径と温度の関係を示す図である。
【図４】入射光のスペクトル形状を用いた入射光量の算出例を示す図である。
【図５】撮影工程、温度上昇時の対応についてのフローチャートである。
【図６】撮影工程、温度上昇時の対応についてのフローチャートである。
【図７】光透過率可変素子が吸収する光のスペクトルを示す図である。
【発明を実施するための形態】
【００１１】
以下、本発明を実施するための最良の形態について図面などを参照して説明する。なお、以下の説明に用いる図面において、同一の要素部品は同じ符号としている。
【００１２】
図１は、本実施形態に係る撮像機器（撮像装置）１００の概略構成を示す図である。図１において、撮像機器１００は、光透過率可変素子１０１と、撮像素子１０３と、光透過率可変素子１０１の周囲の温度を検知する周囲温度検知部１０９とを有する。また、撮像機器１００は、光透過率可変素子１０１の透過率を制御する透過率制御部１０２、撮像素子１０３の取得する像に対する露出パラメータ制御部１０４、複数のレンズ１０６、絞り１０７を含む撮影光学系１０８、ＩＲフィルタ１１６を有していてよい。
【００１３】
撮像機器１００に入射された被写体光１０５は、複数のレンズ１０６、絞り１０７を含む撮影光学系１０８を通り、光透過率可変素子１０１及びＩＲフィルタ１１６を通って撮像素子１０３に結像する。ここで、絞り１０７は、光透過率可変素子１０１への入射光強度を制御する入射光強度制御手段として機能する。撮像素子１０３では、入射した被写体光１０５がその情報（色、強度の分布など）に変換される。撮像機器１００は必要に応じてさらに制御に必要な絞り駆動部１１０、絞り制御部１１１、信号処理装置１１２、記録装置１１３、制御部１１４、露出計１１５などを有していてよい。また、光透過率可変素子１０１に対して光路上被写体側に位置し、撮像機器１００に入射された被写体光１０５を光透過率可変素子１０１に入射する前に低減する要素（例えば、撮影光学系１０８）を前置光透過低減要素１１７と呼ぶ。また、光透過率可変素子１０１に対して光路上結像面側に位置し、光透過率可変素子１０１を透過した被写体光１０５を撮像素子１０３に入射する前に低減する要素（例えば、ＩＲフィルタ（赤外光透過フィルタ）１１６）を後置光透過低減要素１１８と呼ぶ。また、撮像機器１００は、メインスイッチ（以降、スイッチをＳＷと記載する）１２０、レリーズＳＷ１（１２１）、レリーズＳＷ２（１２２）を有していてよい。以下、図１に示した各構成要素について、具体的に説明していく。
【００１４】
光透過率可変素子１０１は、その透過率が電気信号によって制御可能な素子であり、撮像素子１０３への入射光量を制御する役割を担う。この素子としては、液晶素子、有機エレクトロクロミック素子といった、有機分子を用いた素子が好ましく用いられる。中でもゲスト−ホスト式の液晶素子、有機エレクトロクロミック素子がコントラスト、偏光特性の点からより好ましく用いられる。また、コントラスト、最大透過率の観点から有機エレクトロクロミック素子が最も好ましく用いられる。
【００１５】
光透過率可変素子１０１の透過率は、たとえば透過率制御部１０２によって制御される。透過率制御部１０２による光透過率可変素子１０１の透過率の制御方法は、用いられる素子に適した方法が採用される。具体的には、所望の透過率の設定値に対して、予め規定されている条件を光透過率可変素子１０１に入力する方法や、透過率の設定値に対して光透過率可変素子１０１の透過率を比較して、設定値に合うように条件を選択、入力する方法が挙げられる。入力する条件としては、電圧、電流、デューティー比を挙げることができる。光透過率可変素子１０１の透過率を変化させることによって、絞り、シャッタースピード、ゲインといった他の露出パラメータから独立して、撮像素子１０３への入射光量を制御することができる。光透過率可変素子１０１の透過率を増大／低減することで、撮像素子１０３に入射する被写体光１０５の光量を増大／低減することができ、撮影条件に対して所望の値を選択して用いることができる。例えば、撮影者の所望の入射光量が、光透過率可変素子１０１の透過率変化前の入射光量のＲ倍であるときには、光透過率可変素子１０１の透過率をＲ倍とすることで所望の光量を実現することができる。この光透過率可変素子１０１は基本的に減光素子であるために、その透過率（Ｔ）の範囲は、０＜Ｔ＜１である。
【００１６】
撮像素子１０３は、その素子面で結像された像を光電変換するもので、例えば、増幅型固体撮像素子１０３の１つであるＣＭＯＳプロセスコンパチブルのセンサ（以降、ＣＭＯＳセンサと略す）を用いることができる。ＣＭＯＳセンサの特長を以下に記述する。ＣＭＯＳセンサは、エリアセンサ部のＭＯＳトランジスタと駆動回路、ＡＤ変換回路、画像処理回路といった周辺回路を同一工程で形成できるため、マスク枚数、プロセス工程がＣＣＤと比較して大幅に削減できる。また、任意の画素へのランダムアクセスが可能であり、ディスプレイ用に間引いた読み出しが容易であり、高い表示レートでリアルタイム表示を行うことができる。
【００１７】
撮像素子１０３の取得する像に対する露出パラメータ制御部１０４は、撮像素子１０３において取得される像の露出パラメータを制御する機能を果たす。この露出パラメータとしては、シャッタースピード、絞り値、ＩＳＯ感度（ゲイン）が挙げられる。また、この露出パラメータ制御部１０４では、露出計１１５の計測結果に応じて露出パラメータが所望の露出となるよう、手動／自動の制御を行なう機能を有していてもよい。
【００１８】
周囲温度検知部１０９は、光透過率可変素子１０１の周囲の温度を検知し、この温度を使用して光透過率可変素子１０１の温度を算出する。この例を、以下に詳細に記述する。まず、撮像機器に入射された光は、レンズ１０６、絞り１０７等の前置光透過低減要素１１７と、光透過率可変素子１０１と、ＩＲフィルタ１１６等の後置光透過低減要素１１８を透過して撮像素子１０３に入射する。周囲温度検知部１０９は、光透過率可変素子１０１の周囲温度を検知する働きを担う。この周囲温度検知部１０９は、光透過率可変素子１０１の周囲温度を正確に測定するために、光透過率可変素子１０１の近傍に配置されることが好ましい。光透過率可変素子１０１の温度（ＴＦ）変化は、以下のように記述することができる。
【数１】
2019139117.tif 000003
ここで、Ｃは、光透過率可変素子１０１の熱容量を示し、ＱＦは、光透過率可変素子１０１の熱量の収支を示す。
【００１９】
次に、熱量の収支を熱量の入力、出力に分けて考える。
【数２】
2019139117.tif 000004
ここで、ＱＦ＿ＩＮは、熱量入力を示し、ＱＦ＿ＯＵＴは、熱量出力を示す。
【００２０】
そして、光透過率可変素子１０１の熱伝導性は低く、その素子からの熱量の出力は、ニュートンの冷却の法則が適用されると想定する。素子からの熱量の出力は光透過率可変素子１０１の温度、周囲温度との温度差に比例するので、以下のように記述できる。
【数３】
2019139117.tif 000005
ここで、αは、熱交換係数を示し、Ｓは、光透過率可変素子１０１の対象とする部位の表面積を示し、Ｔｍは、周囲温度を示す。
【００２１】
一方、光透過率可変素子１０１として用いられる素子への時間当たりの入射光による熱量の入力（ｑＦ）は、以下のように記述される。
【数４】
2019139117.tif 000006
ここで、ｑ０（λ）は、時間当たりの入射熱量を示し、ＴｒＵ（λ）は、前置光透過低減要素１１７の透過率を示し、ＴｒＦ（λ）は、光透過率可変素子１０１の透過率を示す。
【００２２】
数１の微分方程式を、ｑＦを一定として解くと、光透過率可変素子１０１の温度は以下のように記述できる。
【数５】
2019139117.tif 000007
ここで、Ｔ０は、光透過率可変素子１０１の初期温度を示す。
【００２３】
以上から、光透過率可変素子１０１の入射光線方向に直交する方向の面内（光路内）各ポイントにおける時間当たりの入射熱量（ｑ０（λ））を得ることで、光透過率可変素子１０１の面内各ポイントにおける温度を、温度センサを配置することなく算出できる。つまり、温度検知素子を光透過率可変素子１０１に配置せず、光透過率可変素子１０１の近傍に周囲温度検知部１０９を配置する事によって光透過率可変素子１０１の面内温度分布情報を取得することができる。
【００２４】
さて、撮像機器に入射された被写体光は、レンズ１０６、絞り１０７等の前置光透過低減要素１１７、光透過率可変素子１０１、フィルタ等の後置光透過低減要素１１８を透過して撮像素子１０３に入射することになる。このことから、前置光透過低減要素１１７、光透過率可変素子１０１、後置光透過低減要素１１８の透過スペクトルの情報があれば、この撮像機器１００の対応可能な波長領域における入射光量を求めることができる。具体的には、撮像素子１０３信号から算出される撮像素子１０３への到達光量をＩＤ（λ）とすると、撮像機器への入射光量Ｉ０（λ）は以下のように記述できる。
【数６】
2019139117.tif 000008
ここで、ＴｒＬ（λ）は、後置光透過低減要素１１８の透過率を示す。
【００２５】
また、入射光のスペクトル形状（入射光エネルギーの波長分布）を規定することで、後置光透過低減要素１１８が透過しない波長領域や、撮像素子１０３の感度がない波長領域の光に該当する熱量も含めて温度を算出することができる。この入射光のスペクトル形状については、想定される入射光を用いるのが好ましく、本実施形態においては、太陽光スペクトルが最も好ましく用いられる。これは、一般に像を撮影する際に、撮像素子１０３に入射する高強度光は太陽光、あるいは太陽光と類似のスペクトル（擬似太陽光や白色光）を持つ可能性が高いためである。
【００２６】
撮像機器としては、機器に含まれる前置光透過低減要素１１７、光透過率可変素子１０１、後置光透過低減要素１１８の透過率の波長依存性データを予め取得しておく。その上で、撮像素子１０３で取得した光強度プロファイルと、入射光のスペクトル形状を用いることで、入射光量を算出することができる。具体的な例を図４に示す。縦軸は、各波長のエネルギー密度、横軸は、波長を表す。図４中、領域４００は、入射光のスペクトル、領域４０１は、レンズ１０６、絞り１０７（開放状態とする）等の前置光透過低減要素１１７を透過して光透過率可変素子１０１に入射する光強度である。ここで、光透過率可変素子１０１の周囲温度が２５℃で減光度を３段とした時には、光透過率可変素子１０１の吸収によって、可視光領域の光は、約１２．５％に低減される。ここで、減光度（ｎ段）とは、透過率Ｔが（Ｔ＝１／２ｎ）となる減光状態（光吸収状態）のことである。具体的には、１段であれば５０％、２段であれば透過率２５％となる。その結果、ＩＲフィルタ１１６等の後置光透過低減要素１１８に入射する光強度は、領域４０２に低減されて、最終的に撮像素子１０３に入射する光強度は、領域４０３（０．１８Ｗ）となる。このとき、光透過率可変素子１０１上に入射する光のほとんどが、５ｍｍ径の部位に集中していた場合には、光透過率可変素子１０１のその部位における温度は図３のように１１８℃に達する。つまり、光透過率可変素子１０１は撮像素子１０３の直前に配置されているため、光透過率可変素子１０１上に照射される光強度の面内位置分布は、撮像素子１０３の面内位置分布とほぼ同様であり、特定することができる。このようにして、光透過率可変素子１０１の面内の温度情報を取得することができる。
【００２７】
レンズ１０６を含む撮影光学系１０８は、撮像素子１０３に被写体像を結像し、絞り１０７は入射された光量を制限する。信号処理装置１１２は、撮像素子１０３により変換された撮像信号を例えば標準ビデオ信号などに変換処理する装置である。記録装置１１３は、変換処理された信号等を記録する装置である。制御部１１４は、ＣＰＵ、ＲＯＭ、及びＲＡＭなどで構成され、撮像機器全体を制御する。この制御部１１４は、前出の光透過率可変素子１０１の透過率制御部１０２、露出パラメータ制御部１０４、周囲温度検知部１０９等と一体化されていてもよい。また、前述の可変光透過率素子の温度を算出する制御手段は、この制御部１１４が有することが好ましい。メインＳＷ１２０は、撮像機器１００の主電源を入／切とするスイッチであり、レリーズＳＷ１（１２１）は、撮像機器１００に測光を指示するスイッチであり、レリーズＳＷ２は、撮像機器１００に撮影の開始／終了を指示するスイッチである。
【００２８】
ここで、光透過率可変素子１０１が高温となる場合について説明する。撮像機器１００に基準太陽光（ＡＭ１．５、１０００Ｗ／ｍ２）を入射させたときのことを考える。図２には、基準太陽光のスペクトルを示す。縦軸は、波長当たりの熱量密度、横軸は波長である。このように太陽光は、紫外から可視、赤外の広い領域にわたって熱量を持つ。レンズ径を７０ｍｍとし、光透過率可変素子１０１上の集光径が５ｍｍであるとすると、単純には、光透過率可変素子１０１上には、太陽光の約２００倍の光が照射されることになり、入射光による素子の温度上昇を引き起こすことになる。
【００２９】
入射光と光透過率可変素子１０１の温度上昇の関係について、本実施形態で使用する前置光透過低減要素１１７、光透過率可変素子１０１、後置光透過低減要素１１８の値を用いて以下に具体的に記述する。レンズ径を７０ｍｍとすると撮像機器に入射される光量は、３．８５Ｗ（＝１０００Ｗｍ−２×（０．００７ｍ÷２）２×π）である。ここで、基準太陽光が撮像機器に入射したとき、レンズ１０６、絞り１０７（開放状態とする）等の前置光透過低減要素１１７を透過して光透過率可変素子１０１に入射する光量は、太陽光スペクトルと透過スペクトルより３．３４Ｗとなる。また、光透過率可変素子１０１の減光度を３段とした場合、この素子によって吸収される光量は、２．４５Ｗであり、ＩＲフィルタ１１６等の後置光透過低減要素１１８を透過して撮像素子１０３に入射する光量は、０．１８Ｗである。数５において、十分な時間が経過したとすると、右辺の第一項はゼロに近づくため、光透過率可変素子１０１の温度は、周囲温度と入射光量（熱量）によって記述することができる。図３には、周囲温度を２５℃とした時の光透過率可変素子１０１上の集光径（横軸）と温度（縦軸）の関係を示す。ここから光透過率可変素子１０１上の集光径が小さい場合には、光透過率可変素子１０１は高温になることがわかる。
【００３０】
光透過率可変素子１０１として好ましく用いられる液晶素子、有機エレクトロクロミック素子といった素子は、有機分子の運動が関与する素子であるために、温度変化、特に高温における特性の維持に課題がある。この光透過率可変素子１０１が高温となる原因は、以下の二つが挙げられる。光透過率可変素子１０１の周囲の温度が高い場合（Ａ）と、光透過率可変素子１０１の光吸収による熱量が大きい場合（Ｂ）である。これら二つの原因は単独ではなく和として光透過率可変素子１０１の温度を上昇させる。このうち（Ａ）の低減は、放熱部材を利用するなど、公知の技術を利用して対応することが可能である。これに対して本実施形態に記載する技術は、（Ｂ）の低減に対して有効に機能する。具体的には、以下の二種類の方法を上げることができる。つまり、光透過率可変素子１０１の光吸収による熱量が大きい場合に、光透過率可変素子１０１に到達する光量を低減する（Ｂ１）、光透過率可変素子１０１が吸収する光量を低減する（Ｂ２）、の二種類の方法である。（Ｂ１）の具体的な方法としては、光透過率可変素子１０１の光路上の被写体側で光量を制限することが行われる。例としては、絞り１０７の絞り値を大きくすることや、減光フィルタを導入することが挙げられる。（Ｂ２）の具体的な方法としては、光透過率可変素子１０１の透過率を向上させて光吸収による熱量を抑制することが挙げられる。
【００３１】
上述したように、光透過率可変素子１０１の温度上昇は、上記（Ａ）及び（Ｂ）の二原因の和として現れてくる。そのため、温度上昇による特性への影響を抑制するためには、（Ｂ）に関連する光透過率可変素子１０１の光吸収量だけを観測するだけでは十分でない場合がある。その場合には、（Ｂ）に関連する光透過率可変素子１０１の光吸収量に加えて、（Ａ）に関連する光透過率可変素子１０１の周囲の温度情報を取得することが望ましい。これは、入射光量のみを用いた場合には、入射光量の光透過率可変素子１０１の温度への影響を過大あるいは過少に見積もる可能性があるためである。以下に具体例を記載する。
【００３２】
光透過率可変素子１０１の温度による特性変化に関して特性が変化しない上限となる温度を一定とすると、周囲温度が高い場合には、入射光による温度上昇の許容幅は小さくなる。また、逆に周囲温度が低い場合には、その許容幅は大きくなる。入射光量情報のみを用いて光透過率可変素子１０１の透過率を変化させることにより温度上昇を抑制しようとした場合、この周囲温度による許容幅の増減を反映させることができない。その結果、入射光量による光透過率可変素子１０１の温度への影響を過大あるいは過少に見積もる可能性がある。本実施形態の撮像機器１００が有する光透過率可変素子１０１の温度情報を取得する周囲温度検知部１０９は、この入射光量による影響の過大、過少な見積もりを防止するために効果的である。
【００３３】
本実施形態の撮像機器１００は、透過率可変素子１０１の算出された温度が所定の温度を越えた場合に、光透過率可変素子が吸収する熱量を低減することを特徴とする。具体的な例としては、光透過率可変素子１０１の少なくとも一部の温度が、所定の温度を越えた場合に、以下の二手法を用いることが挙げられる。透過率制御手段を介して光透過率可変素子の透過率を制御する（１）ことと、入射光強度制御手段を介して光透過率可変素子への入射光強度を制御する（２）ことである。具体的には、（１）は、透過率制御部１０２を介して光透過率可変素子１０１の透過率を向上させて光吸収による熱量を抑制することで光透過率可変素子１０１に到達する光量を低減する。また、（２）は、絞り１０７の絞り値を大きくすることや減光フィルタを導入することで光透過率可変素子１０１に到達する光量を低減する。ここで、所定の温度とは、光透過率可変素子１０１の特性が変化する温度よりも低く設定することが好ましい。具体的な温度範囲は、用いる光透過率可変素子１０１によって異なるが、例えば、４０℃から１２０℃、特には６０℃から１００℃の範囲を挙げることができる。
【００３４】
以下、光透過率可変素子１０１の温度上昇時の対応について、図５のフローチャートを用いながら説明する。図５は、撮影工程全体を表している。まず、ステップＳ１０１では、制御部１１４によって、メインＳＷ１２０がＯＮになっているか否かの判定が行われる。メインＳＷ１２０がＯＮになっている場合（Ｙｅｓ）、ステップＳ１０２に進む。次に、ステップＳ１０２では、制御部１１４によって、レリーズＳＷ１（１２１）がＯＮになったか否かの判定が行われる。レリーズＳＷ１（１２１）がＯＮになった場合（Ｙｅｓ）、ステップＳ１０３に進む。次に、ステップＳ１０３では、露出計１１５等によって、測光が行われる。次に、ステップＳ１０４では、制御部１１４によって、ステップＳ１０３の測光が行われ、露出計１１５等の駆動が完了したか否かの判定が行われる。駆動が完了した場合（Ｙｅｓ）、ステップＳ１０５に進む。次に、ステップＳ１０５では、制御部１１４によって、レリーズＳＷ２（１２１）がＯＮになったか否かの判定が行われる。レリーズＳＷ２（１２１）がＯＮになった場合（Ｙｅｓ）、ステップＳ１０６に進む。そして、ステップＳ１０６では、撮影が行われる。次に、ステップＳ１０７では、制御部１１４によって、レリーズＳＷ２（１２１）がＯＦＦになったか否かの判定が行われる。レリーズＳＷ２（１２１）がＯＦＦになった場合（Ｙｅｓ）、ステップＳ１０８に進む。次に、ステップＳ１０８では、制御部１１４によって、メインＳＷがＯＦＦになったか否かの判定が行われる。メインＳＷがＯＦＦになった場合（Ｙｅｓ）、ステップＳ１０９に進み、一連の撮影工程は終了する。
【００３５】
これに対し、図６では、温度上昇時の対応を表している。このフローは、図５に示した撮影工程全体の中で行われる。その中でステップＳ１０２からステップＳ１０９までのいずれかのフローの間に割り込み処理されるものである。本実施形態では、１００℃を越える温度領域では、光透過率可変素子１０１として用いられている有機エレクトロクロミック素子が室温と同様の特性を保持することが難しく、温度を低減する必要が生じた場合の例を記載する。ステップＳ１１１では、光透過率可変素子１０１の温度を算出する。
【００３６】
本実施形態では、先に記述した光透過率可変素子１０１の特定の部位における温度が１１８℃に達するという情報に基づいて、その温度を低減する場合について、以下説明する。ステップＳ１１２では、制御部１１４が光透過率可変素子１０１の特定の部位における温度が所定値以上か否かの判定を行う。判定の結果、所定値以上の場合（Ｙｅｓ）、ステップＳ１１３に進み、所定値未満の場合（Ｎｏ）、ステップＳ１２０に進み、このフローを終了する。次に、ステップＳ１１３では、光透過率可変素子１０１が吸収する熱量を低減させる。光透過率可変素子１０１の透過率を上昇させる例について記載すると、透過率制御部１０２を通して光透過率可変素子１０１の透過率を上昇させる。その後、ステップＳ１２０に進んで、本フロー（温度上昇時の対応）は終了する。
【００３７】
図７は、入射光のうち、光透過率可変素子１０１が吸収する光のスペクトルを示す。縦軸は各波長のエネルギー密度、横軸は波長を表す。光透過率可変素子１０１の減光度が３段（透過率１２．５％）の場合は、領域６００に相当するエネルギーを吸収する。これに対して、光透過率可変素子１０１の減光度を１段（透過率５０％）に変更した場合は、領域６０１に相当するエネルギーを吸収することとなる。その結果、全体として吸収するエネルギーを減光度が３段の場合の７３％に低減することができる。その結果、光透過率可変素子１０１の温度は、減光度が３段の場合の１１８℃から９３℃へと低減される。このことによって、光透過率可変素子１０１として用いられている有機エレクトロクロミック素子は、室温と同等の特性を保持することができるようになる。
【００３８】
以上、本実施形態によれば、光透過率可変素子１０１の光学特性の低下を招くことなく光透過率可変素子の面内温度分布情報を取得し、その情報に基づき、光透過率可変素子が吸収する熱を制御する撮像機器を提供することができる。
【００３９】
また、本発明の好ましい実施形態について説明したが、本発明は、これらの実施形態に限定されず、その要旨の範囲内で種々の変形および変更が可能である。
【符号の説明】
【００４０】
１００  撮像機器
１０１  光透過率可変素子
１０３  撮像素子
１０９  周囲温度検知部
１１４  制御部
【図１】
2019139117.tif 000009
【図２】
2019139117.tif 000010
【図３】
2019139117.tif 000011
【図４】
2019139117.tif 000012
【図５】
2019139117.tif 000013
【図６】
2019139117.tif 000014
【図７】
2019139117.tif 000015